(57)【要約】      （修正有）【課題】就寝中や活動中に木酢液含有粉末の作用を利用して、人体やペットの体内の不要な水分を老廃物と共に吸い出しても、これにより生ずるベトベト液の戻りが少なくベトつきが抑さえられるような、木酢液含有粉末入り添付袋を提供する。【解決手段】人体やペットの体に添付する側が透水性を有する袋体１，２を形成し、内部に木酢液含有粉末３を充填して塞いで成り、さらに前記袋内に体から出る液体を吸収して戻さない吸水体４を納めて成る。この吸水体にはすでに紙おむつや生理用品などに使用されているものを利用することが出来る。【選択図】図１
0003104972.tif 000002
【実用新案登録請求の範囲】
【請求項１】
人体やペットの体に添付する側が透水性を有する袋を形成し、内部に木酢液含有粉末を充填して塞いで成り、更に前記袋内には体から出る液体を吸収して戻さない吸水体を備えていることを特徴とする、木酢液含有粉末入り添付袋。
【請求項２】
吸水体が粒状のものである、請求項１に記載の木酢液含有粉末入り添付袋。
【請求項３】
木酢液含有粉末と吸水体とを混在させて納めて成る、請求項１に記載の木酢液含有粉末入り添付袋。
【請求項４】
木酢液含有粉末と吸水体とを層を分けて納めて成る、請求項１に記載の木酢液含有粉末入り添付袋。
【請求項５】
吸水体が吸水性コアとして存在する、請求項１に記載の木酢液含有粉末入り添付袋。
【請求項６】
袋の人体やペットの体に添付する側が体から出る液体に対して半透過性を有する素材から成るものである、請求項１に記載の木酢液含有粉末入り添付袋。
【請求項７】
更に前記添付袋が体に固定するための粘着シートを備えており、粘着シートの粘着面を覆う剥離紙が設けられている、請求項１に記載の木酢液含有粉末入り添付袋。
【請求項８】
更に前記添付袋の体に添付する側に透水性を有する粘着面が設けられており、この粘着面を覆う剥離紙が設けられている、請求項１に記載の木酢液含有粉末入り添付袋。
【考案の詳細な説明】
【技術分野】
【０００１】  この考案は、体から吸能動的に吸い出した体内の不要な水分の、吸収分が再び体側に戻ってベトついたりすることを抑さえられるようにした、人体やペットの体に添付する木酢液含有粉末入りの袋に関するものである。
【背景技術】
【０００２】  従来より、木酢液含有粉末を充填した透水性の袋を足の裏などに貼ることによって体内の不要な水分を老廃物と共に吸い出すという、実際に優れた効果を上げているものがある。またこのものはクレオソートなどの薬効成分を発散するものであり、殺菌防腐作用の他に効果的持続的に血行促進を行なうなどの作用が知られている。従ってこれを身体各部に添付して使用したいと言う要求がある。なお木酢液含有粉末からは自然治癒力を高める波動が発生しておりこの波動は皮膚から入れるのが良いと言われていることもあって、皮膚に添付して使用することが好ましい。この先行技術として特開２００１−３０１７６５号や特開２００２−３２２０８０号や特開２００３−３４２１９１号の発明を上げることが出来る。なお木酢液含有粉末は木酢液（竹酢液などもこのカテゴリーに含まれる）を加熱乾燥させたり、澱粉に含ませて乾燥させることによって得られる。
【特許文献１】特開２００１−３０１７６５号公報
【特許文献２】特開２００２−３２２０８０号公報
【特許文献３】特開２００３−３４２１９１号公報
【考案の開示】
【考案が解決しようとする課題】
【０００３】  ところで木酢液含有粉末を充填した透水性の袋を足の裏などに貼っておくと、袋の中の木酢液含有粉末が作用して能動的に、体内の不要な水分を老廃物と共に吸い出すことが知られている。しかしながらこのように不要な水分を吸い出してくれるのは良いのであるが、木酢液含有粉末に吸われてベトベトに成ったものが袋の表面から再び体側に戻って皮膚に粘り着くと言う問題がある。【０００４】  例えば就寝前に足裏に添付しておくと、就寝中に体内の不要な水分を吸い出してくれるが、起床時にこの袋を足裏から取る段になって足裏に付着したベトベトしたものを取り去るには丁寧に洗い落とさなくてはならない。これとても時間が掛かる作業であり、出勤前の忙しい時間にこのような作業を行なわなくてはならないのは真に煩わしいことである。また日中の活動中にこの袋を足裏に添付しておくことがあるが、歩いている内に足裏がベトベトしたり、ひどい場合には靴を駄目にしてしまうことがある。なお足裏以外の身体部位への添付に於いても同様である。またペットの体に添付する場合では、ベトベトした液が毛に付着するため、それを洗うのが大仕事となる。【０００５】  従ってこの考案は、体内の不要な水分を吸い出しても戻りが少なく、ベトつきが抑さえられるような、木酢液含有粉末入り添付袋の提供を課題とする。
【課題を解決するための手段】
【０００６】  上記の課題は、人体やペットの体に添付する側が透水性を有する袋を形成し、内部に木酢液含有粉末を充填して塞いで成り、更に前記袋内には体から出る液体を吸収して戻さない吸水体を備えていることを特徴とする、木酢液含有粉末入り添付袋とすることにより達成される。【０００７】  この袋を人体やペットの体に添付しておくと、内部の木酢液含有粉末が体内の不要な水分を能動的に吸い出す。この水分は前記透水性を有する側を透って木酢液含有粉末を湿らせてベトベトになるが、前記吸水体はこの水分を吸収して戻さないため、この水分が前記透水性を有する側を透して体側に戻ることが抑さえられる。なお袋の反対側の面を撥水性を有するものとすると、水分をここから外へ漏れ出させない性能を高めることが出来る。【０００８】  なお前記吸水体はすでに紙おむつや生理用品などに使用されているものを利用することが出来る。この参考文献としては例えば特開２００２−１６１４７７号の「吸水性樹脂およびその製造方法」がある。このものは環状イミド基を有するビニル系単量体を必須構成単量体とする吸水性重合体から成る吸水性樹脂であって、紙おむつなどの吸収体物品を形成した時の吸水特性、特に逆戻り性（逆戻りさせない性質）に優れるものに関する。また特開平０９−１５００５７号の発明も参考になる。【０００９】  ところで前記吸水体に粒状のものを使用することが出来る。粒状であれば水分に触れる面積を大きくとることが出来る。また吸水体が吸水性コアとして袋内に存在する構成を取ることが出来る。吸水性コアはひとつのまとまりを持っているため、取り扱いが容易であると言う利点がある。【００１０】  なお前者の構成に於いて、木酢液含有粉末と吸水体とを混在させて袋内に納めて成るものとしたり、木酢液含有粉末と吸水体とを層を分けて袋内に納めて成るものとすることが出来る。何れの場合も湿った木酢液含有粉末から水分を奪って戻さないため、水分が前記透水性を有する側を透して体側に戻ることが抑さえられるのである。【００１１】  次に請求項１に記載の木酢液含有粉末入り添付袋に於いて、袋の人体やペットの体に添付する側が体から出る液体に対して半透過性を有する素材から成るものとすることが出来る。なお半透過性とは、体から吸い出した水分は透すが、この逆に体側に透すことはないと言う性質を表わす。このような半透過性シートはすでに紙おむつや生理用品などに使用されているものを利用することが出来る。この参考文献としては例えば特開２００２−１６１４７７号の「耐久透水性付与材及びその繊維」がある。また例えば特開平０８−２６９８５９号の「複合不織布および該複合不織布を用いた衛生材料」がある。半透過性を有する複合不織布などは膚触りの点からしてもこの考案の木酢液含有粉末入り添付袋に好適な材料である。【００１２】  さて体から出た水分は木酢液含有粉末を湿らせてベトベトにするが、この水分は上述の通り袋内の吸水体に吸収されてしまう。しかしながらそれでも袋の体に添付する側に水分が残るような場合がある。このような場合でも、袋の体に添付する側が体から出る液体に対し半透過性を有しているものであるため、この水分が袋の表面から再び体側に戻って皮膚に粘り着くと言う���うな現象が緩和されるのである。【００１３】  また請求項１に記載の木酢液含有粉末入り添付袋に於いて、更に前記添付袋が体に固定するための粘着シートを備えており、粘着シートの粘着面を覆う剥離紙が設けられているものとすることが出来る。なお粘着シートに関しては、添付袋が粘着シートに最初から着いて一体である場合と、添付袋と粘着シートとは別体であって体に添付する際に粘着シートで添付袋を固定する場合とがある。【００１４】  この袋は粘着シートの粘着面のほぼ中央部分に位置させるようにするとよい。粘着シートから剥離紙を剥離すると粘着面が現われるので、この粘着面を以て体の所要箇所に接着させるようにする。【００１５】  また請求項１に記載の木酢液含有粉末入り添付袋に於いて、更に前記添付袋の体に添付する側に透水性を有する粘着面が設けられており、この粘着面を覆う剥離紙が設けられているものとすることが出来る。【００１６】  粘着面から剥離紙を剥離すると粘着面が現われるので、この粘着面を以て人体やペットの体の所要箇所に接着させるようにするのである。この粘着面は透水性を有しているため、体から吸い出した液体を透過させることが出来るのである。また粘着面への体液の戻りが抑さえられているため、体に対する粘着力が低下することがない。
【考案の効果】
【００１７】  この考案によれば、体内の不要な水分を吸い出しても戻りが少なく、ベトつきが抑さえられると言う効果を奏する。
【考案を実施するための最良の形態】
【００１８】  第１実施形態
この実施形態の木酢液含有粉末入り添付袋は、図１乃至図３で表わされているように、透水性不織布１と撥水性不織布２とで密封された袋を形成し、この袋の中に木酢液含有粉末３と吸水体４とを納めて成る。木酢液含有粉末３と吸水体４とは薄膜である透水シート１１により２層に分かれており、木酢液含有粉末３が透水性不織布１の側に、また吸水体４が撥水性不織布２の側に配置されている。この吸水体４には紙おむつや生理用品などに使用されている例えば特開２００２−１６１４７７号の吸水性樹脂を利用することが出来る。なお透水シート１１を用いない構成も可能である。【００１９】  またこの木酢液含有粉末入り添付袋には、粘着剤５０の面に図示しない剥離紙を張り付けた粘着シート５が付属している。こでは粘着シート５は木酢液含有粉末入り添付袋とは別体である。この粘着シート５は通気性と防水性とを備えているものである。【００２０】  この木酢液含有粉末入り添付袋を使用するには、次の２つの方法がある。すなわち一は木酢液含有粉末入り添付袋をその透水性不織布１の側が人体やペットの体に着くようにして体に当て、その上から前記剥離紙を剥離した粘着シート５を貼り付けて固定するようにする。その二は前記剥離紙を粘着シート５から剥離した後に、一旦粘着シート５に木酢液含有粉末入り添付袋をその撥水性不織布２の側が付くようにして貼り付け、その後粘着シート５の粘着剤５０を以て体に貼り付けるようにする。この何れの場合も粘着シート５の中央に木酢液含有粉末入り添付袋が位置するようにすることが好ましい。【００２１】  さて図１及び図３で表わされているように、袋内の木酢液含有粉末３が体液を吸い出すと、この体液は透水性不織布１を透過して木酢液含有粉末３を湿らせるが（細矢線）、この水分は吸水性と逆戻り性に優れた吸水体４に吸い取られてしまうのである（太矢線）。従って吸い出した体液の透水性不織布１側への戻りは少なくなり、ベトつきが抑えられる。【００２２】  なお撥水性不織布２は透水性不織布にビニールコーティングが施されたものであるから、ここを水分が通過して袋の外に出ることはない。また撥水性不織布２に代えて透水性不織布を用いたとしても、ここでは粘着シート５が防水性を備えているため水分を通過させることはない。なお初めから木酢液含有粉末入り添付袋を粘着シート５の中央に貼り付けその上に剥離紙を被せて成るものとして製品化することが出来る。【００２３】  第２実施形態
この実施形態の木酢液含有粉末入り添付袋は、図４で表わされているように、透水性不織布１と撥水性不織布２とで密封された袋を形成し、この袋の中に木酢液含有粉末３と吸水体４とを混ぜて納めて成るものである。【００２４】  袋内の木酢液含有粉末３に吸い出された体液は透水性不織布１を透過して木酢液含有粉末３を湿らせる（細矢線）。この際に木酢液含有粉末３の周辺には粒子状の吸水体４が配置されているため、木酢液含有粉末３を湿らせた水分は吸水性と逆戻り性に優れた吸水体４に吸い取られてしまう（太矢線）。従って吸い出した体液の透水性不織布１側への戻りは少なくなり、結果的にベトつきが抑えられることになる。【００２５】  第３実施形態
この実施形態の木酢液含有粉末入り添付袋は、図５で表わされているように、透水性不織布１と撥水性不織布２とで密封された袋を形成し、この袋の中に吸水性コア６を配置し、この吸水性コア６の回りに木酢液含有粉末３を配置して成るものである。この吸水性コア６は、透水性の袋の中に吸水体４を納めて成るものである。なお吸水性コア６の袋の素材に半透過性を有するものを使用した場合には、吸水体４の吸水性及び逆戻り性と相俟って更に逆戻り性を向上させることが出来る。なお吸水体４の形態は粒子に限定されない。【００２６】  吸水性コア６は一つのまとまりを持っているため取り扱いが容易である。このような吸水性コアはすでに紙おむつや生理用品などに広く使用されているものである。従ってこの考案で重要な点は、このような逆戻り性を有する部材と、体から能動的に水分を吸い出す木酢液含有粉末との組み合わせにある、と言うことが出来る。【００２７】  第４実施形態
この実施形態の木酢液含有粉末入り添付袋は、図６及び図７で表わされているように、半透過性不織布７と撥水性不織布２とで密封された袋を形成して、この袋の中に木酢液含有粉末３と吸水体４とを納めて成る。木酢液含有粉末３と吸水体４とは薄膜である透水シート１１によって２層に分かれており、木酢液含有粉末３が透水性不織布１の側に、また吸水体４が撥水性不織布２の側に配置されている。この吸水体４には紙おむつや生理用品などに使用されている、例えば特開２００２−１６１４７７号の吸水性樹脂を利用することが出来る。なお半透過性不織布５は、ここでは透水性不織布に半透性フィルムを張り合わせて成るものである。【００２８】  この木酢液含有粉末入り添付袋は半透過性不織布７の側が人体やペットの体に着くように添付される。すると図６及び図７で表わされているように木酢液含有粉末３が体液を吸い出すと、この体液は半透過性不織布７を透過して木酢液含有粉末３を湿らせるが（細矢線）、この水分は吸水性と逆戻り性に優れた吸水体４に吸い取られてしまうのである（太矢線）。この際一部の水分が半透過性不織布７を逆戻りして袋の外に出ると言うようなことは不可能であるため（太矢線）、最終的には吸水体４に吸い取られるようになる。【００２９】  第５実施形態
この実施形態の木酢液含有粉末入り添付袋は、図８で表わされているように、上述した第４実施形態の木酢液含有粉末入り添付袋の、半透過性不織布７の外側には更に透水性粘着剤８が塗布されており，その上に剥離紙９が貼り付けられているものである。【００３０】  この木酢液含有粉末入り添付袋は、剥離紙９を取り去ってから透水性粘着剤８を以て体に接着される。すると木酢液含有粉末３により吸い出された体液は透水性粘着剤８から半透過性不織布７を順次透過して木酢液含有粉末３を湿らせるが（細矢線）、この水分は吸水体４に吸い取られてしまう（太矢線）。また仮にこの水分が逆戻りしたとしても半透過性不織布７に阻まれてこれより外には出られない（太矢線）。【００３１】  この粘着面は透水性を有しているため、体から吸い出した液体を透過させることが出来るのである。また半透過性不織布７は吸い出した水分を体側に戻さないため、透水性粘着剤８の体に対する粘着力を低下させることがないと言う効果を奏する。なお透水性粘着剤８を用いずとも例えばドット状に粘着剤を隙間を空けて塗布するようにすれば透水性を実現することが可能である。
【産業上の利用可能性】
【００３２】  なおこの考案は上述した実施形態にのみ限定されないから、袋の各部の材質の選択は任意であり、特に不織布でなくともよい。また袋形状なども自由に決めることが出来る。また袋内の木酢液含有粉末にはムラサキイペ、キャッツクロー、ショウガエキス等、各種ハーブ、ミネラル、ビタミン類を混入させたものも提供可能である。上述した波動を重視する場合には石粉等を混入してもよい。【００３３】  なおこの考案では、体内の不要な水分を老廃物と共に吸い出す作用のあるものであれば、木酢液含有粉末の代替として使用することが可能であり、このような構成もこの考案の権利範囲内のものである。
【図面の簡単な説明】
【００３４】
【図１】  第１実施形態の断面図である。
【図２】  同実施形態の部分切欠説明図である。
【図３】  同実施形態の説明図である。
【図４】  第２実施形態の断面図である。
【図５】  第３実施形態の断面図である。
【図６】  第４実施形態の断面図である。
【図７】  同実施形態の説明図である。
【図８】  第５実施形態の断面図である。
【符号の説明】
【００３５】１    透水性不織布
１０  溶着部
１１  透水シート
２    撥水性不織布
３    木酢液含有粉末
４    吸水体
５    粘着シート
５０  粘着剤
６    吸水性コア
７    半透過性不織布
８    透水性粘着剤
９    剥離紙
【図１】
0003104972.tif 000003
【図２】
0003104972.tif 000004
【図３】
0003104972.tif 000005
【図４】
0003104972.tif 000006
【図５】
0003104972.tif 000007
【図６】
0003104972.tif 000008
【図７】
0003104972.tif 000009
【図８】
0003104972.tif 000010